(57)【要約】      （修正有）【課題】  脇部材の伸縮性を必要以上に高める必要がなく、着用者の胸部を締め付ける緊迫力が過度に大きくなって、着用感が低下することを防止しつつ、バストカップ部のズレ落ちを確実に防止することが可能なバスト部を構成するブラジャー等のトップを提供する。【解決手段】  バストカップ部が下方にズレ落ちるのを防止したバスト部を構成するブラジャー等のトップにおいて、前記バストカップ部の左右両側に、着用者の脇部から背面にかけて各々配置され、伸縮性を有する素材からなる左右の脇部材を、少なくとも２枚の部材からそれぞれ構成するとともに、当該少なくとも２枚の脇部材の先端部を、着用者の胸部背面において上下方向に異なった位置に配置し、前記少なくとも２枚の脇部材の収縮力によって、着用者の胸部背面において上下方向に異なった位置で固定することを特徴とするバスト部を構成するブラジャー等のトップである。【選択図】図１
2005054322.tif 000002
【特許請求の範囲】
【請求項１】
バストカップ部が下方にズレ落ちるのを防止したバスト部を構成するブラジャー等のトップにおいて、前記バストカップ部の左右両側に、着用者の脇部から背面にかけて各々配置され、伸縮性を有する素材からなる左右の脇部材を、少なくとも２枚の部材からそれぞれ構成するとともに、当該少なくとも２枚の脇部材の先端部を、着用者の胸部背面において上下方向に異なった位置に配置し、前記少なくとも２枚の脇部材の収縮力によって、着用者の胸部背面において上下方向に異なった位置で固定することを特徴とするバスト部を構成するブラジャー等のトップ。
【請求項２】
前記バスト部を構成するブラジャー等のトップは、ストラップを有しないストラップレス方式であることを特徴とする請求項１に記載のバスト部を構成するブラジャー等のトップ。
【請求項３】
前記少なくとも２枚の脇部材の収縮力を、互いに異ならせたことを特徴とする請求項１又は２に記載のバスト部を構成するブラジャー等のトップ。
【請求項４】
前記少なくとも２枚の脇部材の収縮力を、上方に位置する脇部材の収縮力を、下方に位置する脇部材の収縮力より強く設置したことを特徴とする請求項３に記載のバスト部を構成するブラジャー等のトップ。
【請求項５】
前記少なくとも２枚の脇部材の収縮力を、下方に位置する脇部材の収縮力を、上方に位置する脇部材の収縮力より強く設置したことを特徴とする請求項３に記載のバスト部を構成するブラジャー等のトップ。
【請求項６】
前記少なくとも２枚の脇部材は、その配置角度、大きさ、形状及び素材の伸縮性のうち、少なくとも１つ以上を変化させることによって、収縮力を互いに異ならせたことを特徴とする請求項３に記載のバスト部を構成するブラジャー等のトップ。
【請求項７】
前記少なくとも２枚の脇部材の先端部は、バストのチェストとバストのアンダーに対応した位置にそれぞれ配置されていることを特徴とする請求項１乃至５のいずれかに記載のバスト部を構成するブラジャー等のトップ。
【請求項８】
前記少なくとも２枚の脇部材の先端部は、他方の脇部材の先端部と、着用者の背面で連結具によって互いに着脱自在に連結されることを特徴とする請求項１乃至６のいずれかに記載のバスト部を構成するブラジャー等のトップ。
【請求項９】
前記少なくとも２枚の脇部材の先端部は、他方の脇部材の先端部と互いに連結されており、バストカップ部の中央が連結具によって互いに着脱自在に連結されることを特徴とする請求項１乃至６のいずれかに記載のバスト部を構成するブラジャー等のトップ。
【発明の詳細な説明】
【技術分野】
【０００１】
この発明は、ストラップレスのブラジャーとして好適に使用されるブラジャーやブラスリップ・ボディスーツ・ブラキャミなどのファンデーション等を広く含むバスト部を構成するブラジャー等のトップに関し、特にバストカップ部が下方にズレ落ちるのを防止したバスト部を構成するブラジャー等のトップに関するものである。
【背景技術】
【０００２】
【特許文献１】登録実用新案第３０２８６１４号公報
【特許文献２】特開平１１−６１５１０号公報
【０００３】
従来、上記ストラップレスのブラジャー１００としては、例えば、図１５に示すように、１／２カップ程度に形成された左右のバストカップ部１０１を、下辺布１０２で互いに一体的に縫着するとともに、当該下辺布１０２の両端部に、伸縮性を有する生地からなる脇布１０３を縫着し、左右の脇布１０３の先端部に設けられたフックとアイ等からなる連結具によって、これら左右の脇布１０３の先端部を互いに連結することにより着用するように構成されている。
【０００４】
また、上記ストラップレスのブラジャー１００は、図１５に示すように、バストの下部に位置する胸囲の部分が、下辺布１０２の下端縁と脇布１０３の下端縁によって、略直線状に形成されているとともに、脇布１０３の上端縁は、カップ部１０１の外側端部に縫着された下辺布１０２の上端縁から斜め下方に向けて湾曲するように形成されている。
【０００５】
そして、このストラップレスのブラジャー１００は、図１５に示すように、女性の左右のバストを、左右のバストカップ部１０１によって覆った状態で、左右の脇布１０３の先端部を、当該脇布１０３の先端部に設けられたフックとアイ等からなる連結具によって、体の背面側で互いに連結することによって着用される。
【発明の開示】
【発明が解決しようとする課題】
【０００６】
しかしながら、上記従来技術の場合には、次のような問題点を有している。すなわち、上記従来のストラップレスのブラジャー１００の場合には、図１５に示すように、下辺布１０２と左右の脇布１０３によって、ブラジャー１００の下辺（アンダー）のみで支えられているため、身体の動きによって徐々にズレ落ちてしまうという問題点を有していた。そのため、上記ストラップレスのブラジャー１００の場合には、女性の肩部が大きく露出したデザイン性の高い衣服に着用するにもかかわらず、当該ブラジャー１００のズレ落ち等を気にしなければならず、着用感が十分満足行くものではないという問題点を有していた。
【０００７】
更に説明すると、上記従来のストラップレスのブラジャー１００の場合には、図１６に示すように、仮に、当該ブラジャー１００が下方にズレてきた場合に、上方に戻そうとする力は、脇布１０３の上端縁に作用する張力ｂのみである。一方、ブラジャー１００を女性の胸囲に保持している下辺布１０２及び脇布１０３の下端縁に作用する張力ａは、逆に体形の細い下のウエストの部分に移動する方向に作用してしまうことになる。
【０００８】
このブラジャー１００の脇布１０３の上端縁に作用する張力ｂと、下辺布１０２及び脇布１０３の下端縁に作用する張力ａのバランスは、女性の体の体形によって異なる。図１７は、着用者により胸郭（胸をとりまく骨組み）の幅が異なることを示すものである。図１７（Ａ）は標準胸郭体型を、同図（Ｂ）は胸郭の狭い体型を、同図（Ｃ）は胸郭の広い体型をそれぞれ示している。この図１７に示すように、バストトップの幅が広い体型や、標準的な体型のごとく体型が逆三角形であればあるほど、図１６に示すように、ブラジャー１００の脇布１０３の上端縁に作用する張力ｂが大きくなり、下辺布１０２及び脇布１０３の下端縁に作用する張力ａとのバランスが崩れ、結果的に、体形の細い下のウエストの部分に移動する方向の力が作用してしまう場合がある。これに対して、胸骨が発達していない円柱体や胸骨が未熟な狭まった体型では、ブラジャーがズレ下がり度が低い。
【０００９】
ブラジャーのズレ下がりの要因は、上腕動作時に、乳房が扁平化して、製品のチェストラインから乳房がすり抜けてズレ上がり、逆に下腕時に製品のチェストラインを押し下げるポンプ作用が働くことが最大の原因と考えられる。
【００１０】
ストラップレス方式のブラジャーの大半は、チェスト寸法と、トップバスト寸法の差が、２ｃｍから５ｃｍのレベルの位置に、チェストライン（製品の上縁）が配置されている。そのため、従来のブラジャーは、上腕動作で扁平化した乳房がすり抜けて上部にはみ出してしまうことになる。そこで、従来のブラジャーでは、一般的に、ワイヤーボーンのバネでサポートするように構成されている。
【００１１】
このように、従来のストラップレスのブラジャーでは、当該ブラジャーを上方に引き上げる力が、脇布の上端縁に作用する張力ｂのみであり、下辺布及び脇布の下端縁に作用する張力ａとのバランスが崩れて、一度下方にズレてしまうと、元に戻らず、逆にどんどん下方に移動して落ちてしまうという問題点を有していた。
【００１２】
かかる問題点を解決することを目的とした技術としては、本出願人の出願に係る登録実用新案第３０２８６１４号公報や、特開平１１−６１５１０号公報等に開示されたものが既に提案されている。
【００１３】
これら登録実用新案第３０２８６１４号公報や特開平１１−６１５１０号公報等に開示された技術は、脇布を構成する伸縮性のある生地に、該生地よりも伸縮性のある裏地を設けたり、バック部の少なくとも脇部に相対する部分が、２重に重ねた状態の、伸縮性を有する布地から主として形成するように構成したものである。
【００１４】
しかしながら、上記登録実用新案第３０２８６１４号公報や特開平１１−６１５１０号公報等に開示された技術の場合には、基本的に、ブラジャーのバストカップを上方に移動させる力が作用しないため、ブラジャーのズレ落ちを効果的に防止することができないという問題点を有していた。
【００１５】
また、この問題点を解決して、ブラジャーのズレ落ちを防止するように構成するためには、脇布を構成する生地の伸縮性を更に高める必要があり、当該脇布を構成する生地の伸縮性を高めると、着用者の胸部を締め付ける緊迫力が大きくなって、着用感が低下するという新たな問題点が生じる。
【００１６】
そこで、この発明は、上記従来技術の問題点を解決するためになされたものであり、その目的とするところは、脇部材の伸縮性を必要以上に高める必要がなく、着用者の胸部を締め付ける緊迫力が過度に大きくなって、着用感が低下することを防止しつつ、バストカップ部のズレ落ちを確実に防止することが可能なバスト部を構成するブラジャー等のトップを提供することにある。
【課題を解決するための手段】
【００１７】
上記の課題を解決するため、請求項１に記載された発明は、バストカップ部が下方にズレ落ちるのを防止したバスト部を構成するブラジャー等のトップにおいて、前記バストカップ部の左右両側に、着用者の脇部から背面にかけて各々配置され、伸縮性を有する素材からなる左右の脇部材を、少なくとも２枚の部材からそれぞれ構成するとともに、当該少なくとも２枚の脇部材の先端部を、着用者の胸部背面において上下方向に異なった位置に配置し、前記少なくとも２枚の脇部材の収縮力によって、着用者の胸部背面において上下方向に異なった位置で固定することを特徴とするバスト部を構成するブラジャー等のトップである。
【００１８】
なお、上記脇部材は、少なくとも２枚設けられるが、３枚以上設けてもよいことは勿論である。
【００１９】
また、請求項２に記載された発明は、前記バストカップ部を有する衣料は、ストラップを有しないストラップレス方式であることを特徴とする請求項１に記載のバスト部を構成するブラジャー等のトップである。
【００２０】
さらに、請求項３に記載された発明は、前記少なくとも２枚の脇部材の収縮力を、互いに異ならせたことを特徴とする請求項１又は２に記載のバスト部を構成するブラジャー等のトップである。
【００２１】
又、請求項４に記載された発明は、前記少なくとも２枚の脇部材の収縮力を、上方に位置する脇部材の収縮力を、下方に位置する脇部材の収縮力より強く設置したことを特徴とする請求項３に記載のバスト部を構成するブラジャー等のトップである。
【００２２】
更に、請求項５に記載された発明は、前記少なくとも２枚の脇部材の収縮力を、下方に位置する脇部材の収縮力を、上方に位置する脇部材の収縮力より強く設置したことを特徴とする請求項３に記載のバスト部を構成するブラジャー等のトップである。
【００２３】
また、請求項６に記載された発明は、前記少なくとも２枚の脇部材は、その配置角度、大きさ、形状及び素材の伸縮性のうち、少なくとも１つ以上を変化させることによって、収縮力を互いに異ならせたことを特徴とする請求項３に記載のバスト部を構成するブラジャー等のトップである。
【００２４】
さらに、請求項７に記載された発明は、前記少なくとも２枚の脇部材の先端部は、バストのチェストとバストのアンダーに対応した位置にそれぞれ配置されていることを特徴とする請求項１乃至５のいずれかに記載のバスト部を構成するブラジャー等のトップである。
【００２５】
又、請求項８に記載された発明は、前記少なくとも２枚の脇部材の先端部は、他方の脇部材の先端部と、着用者の背面で連結具によって互いに着脱自在に連結されることを特徴とする請求項１乃至６のいずれかに記載のバスト部を構成するブラジャー等のトップである。
【００２６】
更に、請求項９に記載された発明は、前記少なくとも２枚の脇部材の先端部は、他方の脇部材の先端部と互いに連結されており、バストカップ部の中央が連結具によって互いに着脱自在に連結されることを特徴とする請求項１乃至６のいずれかに記載のバスト部を構成するブラジャー等のトップである。
【００２７】
この発明に係るバスト部を構成するブラジャー等のトップは、例えば、脇部から背部を構成するパーツ左右２枚を、上下２枚合計４枚のパーツとすることにより、胸部を覆う製品チェストの周囲長と、アンダーバストの周囲長の最も適切な位置を、機能的、デザイン的に選択できるようにしたものである。特に、この発明の目的であるバストカップ部のズレ落ち防止の原因となるチェスト周囲長の最も短い位置を選択することが可能となる。
【００２８】
また、この発明に係るバスト部を構成するブラジャー等のトップは、当該衣料を構成するパーツに調節機能を持たせることにより、個人的に異なる胸部の上下周囲長に対応することが可能となる。
【００２９】
さらに、この発明に係るバスト部を構成するブラジャー等のトップは、上下に位置するパーツを構成する素材の組み合わせにより、個人的なフィット感（強弱・着心地・安定感）に対応してデザイン化できる。
【００３０】
また、この発明に係るバスト部を構成するブラジャー等のトップは、バストカップ部のデザインと連動してデザイン化することにより、特に、ショルダーコード付きの製品における、逆のズレ上がりを防止することもできる。なお、この発明では、必ずしも脇部を前身頃・後身頃の切替点とする必要がなく、又調節具を必ずし必要としない。
【００３１】
さらに、この発明に係るバスト部を構成するブラジャー等のトップは、例えば、２枚構成を採用するが、必ずしも製品の表面をデザインするものでなくともよく、内面構造であっても良く、ベールを掛けるように構成しても良い。
【発明の効果】
【００３２】
この発明によれば、脇部材の伸縮性を必要以上に高める必要がなく、着用者の胸部を締め付ける緊迫力が過度に大きくなって、着用感が低下することを防止しつつ、バストカップ部のズレ落ちを確実に防止することが可能なバスト部を構成するブラジャー等のトップを提供することができる。
【発明を実施するための最良の形態】
【００３３】
以下に、この発明の実施の形態について図面を参照して説明する。
【００３４】
実施の形態１
図１はこの発明の実施の形態１に係るバスト部を構成するブラジャー等のトップとしてのブラジャーを示す構成図である。
【００３５】
図１において、１はストラップ（肩紐）のないストラップレス方式のブラジャーを示すものであり、このストラップレス方式のブラジャー１は、１／２カップ（ハーフカップ）に形成された左右のバストカップ部２、３と、これら左右のバストカップ部２、３を互いに一体的に縫着する下辺布４と、当該下辺布４の両端部に、着用者の脇部から背面にかけて各々配置され、伸縮性を有する素材からなる左右の脇部材としての脇布５、６とを備えるように構成されている。なお、ストラップレス方式のブラジャーは、図２に示すようなストラップ（肩紐）７を用いておらず、左右のバストカップ部２、３を上方に吊る部材を有していないため、左右のバストカップ部２、３がズレ落ちやすいものとなっている。
【００３６】
ただし、この発明は、ストラップレス方式のブラジャーに好適に適用されるものではあるが、当該ストラップレス方式のブラジャーに限定されるものではなく、ストラップを有するブラジャーに適用しても良いことは勿論である。また、ブラジャー１の左右のバストカップ部２、３も、１／２カップ（ハーフカップ）のものに限定されるものではないことは勿論であり、図３に示すように、３／４カップのブラジャーなど任意のものに適用できることは勿論である。
【００３７】
上記左右のバストカップ部２、３は、上カップ７と下カップ８とを互いに縫着して構成されており、これら左右のバストカップ部２、３の下端縁には、必要に応じて、ボーンが挿入される。また、上記下辺布４は、基本的に伸縮性のない生地によって形成され、中心部から左右に分割されてバストカップ部２、３の中央部下端までにわたる左右の中心土台９、１０と、バストカップ部２、３の下端中央部からカップ部の外側端の上端縁までにわたる左右の小脇１１、１２とから構成されている。これら左右の小脇１１、１２には、バストカップ部２、３の外側端２ａの上端縁から脇方向に向けて幅の広い部分１１ａが、所定の長さにわたって設けられている。
【００３８】
ところで、この実施の形態では、バストカップ部が下方にズレ落ちるのを防止したバスト部を構成するブラジャー等のトップにおいて、前記バストカップ部の左右両側に、着用者の脇部から背面にかけて各々配置され、伸縮性を有する素材からなる左右の脇部材を、少なくとも２枚の部材からそれぞれ構成するとともに、当該少なくとも２枚の脇部材の先端部を、着用者の胸部背面において上下方向に異なった位置に配置し、前記少なくとも２枚の脇部材の収縮力によって、着用者の胸部背面において上下方向に異なった位置で固定するように構成されている。
【００３９】
すなわち、上記下辺布４の左右の両小脇１１、１２には、図１及び図４に示すように、伸縮性を有する生地からなる第１の脇布１３、１５と、第２の脇布１４、１６とが、縫着されている。これら第１の脇布１３、１５と、第２の脇布１４、１６は、伸縮性を有する生地として、例えば、パワーネットやサテンネット、トリスキン等によって形成されている。上記第１の脇布１３、１５と、第２の脇布１４、１６は、第１の脇布１３、１５が外側、第２の脇布１４、１６が内側に位置するように、２重に配置されている。なお、これら第１の脇布１３、１５と、第２の脇布１４、１６は、内外の位置関係が逆になるように構成しても良い。
【００４０】
これら第１の脇布１３、１５は、図１及び図４に示すように、その形状が、斜辺１３ａ、１５ａと底辺１３ｂ、１５ｂが長い略直角三角形状に形成されており、相対的に短く形成された縦の辺１３ｃ、１５ｃが、下辺布４の小脇１１、１２の縦方向に沿った端縁に縫着されている。また、第２の脇布１４、１６は、図１及び図４に示すように、その形状が、斜辺１４ａ、１６ａと上辺１４ｂ、１６ｂが長い略直角三角形状に形成されており、相対的に短く形成された縦の辺１４ｃ、１６ｃが、下辺布４の小脇１１、１２の縦方向に沿った端縁に縫着されている。
【００４１】
その結果、上記第１の脇布１３、１５には、下辺布４の両小脇１１、１２を介して、バストカップ部２、３を、水平方向及び斜め下方に引っ張る収縮力が作用するように構成されている。また、上記第２の脇布１４、１６には、下辺布４の両小脇１１、１２を介して、バストカップ部２、３を、水平方向及び斜め上方に引っ張る収縮力が作用するように構成されている。
【００４２】
また、上記第１の脇布１３、１５の先端部１３ｄ、１５ｄには、図１及び図４に示すように、連結具としての複数のアイ１７（図示例では、２つ）が収縮力を調整することができるように異なった位置に取り付けられている。一方、第２の脇布１４、１６の先端部１４ｄ、１６ｄには、図１に示すように、連結具としてのフック１８が取り付けられている。
【００４３】
さらに、この実施の形態では、第１及び第２の脇布１３、１５、１４、１６の長さは、図１及び図４に示すように、第２の脇布１４、１６の方が、第１の脇布１３、１５よりも若干短く設定されており、これら第１及び第２の脇布１３、１５、１４、１６の先端部を、フック１８及びアイ１７によって互いに連結した状態で、若干短く設定された第２の脇布１４、１６の方が第１の脇布１３、１５よりも大きな収縮力を発生させるように構成されている。
【００４４】
なお、この実施の形態では、上記の如く、第１及び第２の脇布１３、１５、１４、１６の長さを適宜設定することにより、第２の脇布１４、１６の方が第１の脇布１３、１５よりも大きな収縮力を発生させるように構成したが、前記少なくとも２枚の脇部材は、その配置角度、大きさ、形状及び素材の伸縮性のうち、少なくとも１つ以上を変化させることによって、収縮力を互いに異ならせるように構成しても良い。また、着用者の体型によっては、第１の脇布１３、１５の方が第２の脇布１４、１６よりも大きな収縮力を発生させるように構成しても良い。
【００４５】
また、上記第１及び第２の脇布１３、１５、１４、１６は、必ずしも収縮力を互いに異ならせるように構成する必要はなく、第１及び第２の脇布１３、１５、１４、１６とも、収縮力が同程度になるように構成しても良い。
【００４６】
このように、上記ブラジャー１は、第一に、スタンダード体型（基本女性体型）を前提とするパターン機能を、基本的な構成としている。上記第１及び第２の脇布１３、１５、１４、１６における収縮力は、原則として、着用者の体型等に応じて適宜異なる。この実施の形態に係るブラジャー１の目的は、バストカップ部２、３のズレ下がりの主たる原因となるチェストライン（胸部周囲長）をサポートする機能をデザインすることにあり、胸部周囲長の最も小さい位置やチェストラインを安定化させる力線の方向等をデザインするものである。また、ブラジャー１のアンダーバストライン（乳房下部周囲長）は、固定化が容易であるのに対し、概ね皮脂の移動率が高く、且つ皮膚感度が高いチェストラインは、アンダーバストラインよりも、ソフトなタッチで且つ必要なパワー（伸張力）が作用する領域の広い設計が望ましいハイストレッチ性等のデザインを施すのが望ましい。
【００４７】
第二に、上記ブラジャー１には、必要に応じて、プライベート機能（個人体型特性）を前提にする機能、例えば、構成部片であるパターンにアジャースト機能を付加した機能や、パターンに着脱機能を付加した機能、あるいは、関連附属の機能化やワイヤーボーンの三次元化を付加した機能などが付与される。
【００４８】
第三に、上記ブラジャー１には、必要に応じて、プライベート感覚（個人別生理特性）を前提とした機能として、ソフトやハード、あるいはソフト×ハード（ハイストレッチ素材の使用）などの着用感や、皮膚との接触性（編組織・糸質等）・素材性（繊維の種別）・加工性（モールド成型・編成型によるパターン化並びに仕上げのフラット化）を適宜デザインするのが望ましい。
【００４９】
第四に、上記ブラジャー１には、必要に応じて、積極的なコントロール機能、例えば、ワイヤーボーン形状のデザイン（ばね性を高める）ことや、チェストラインを構成する側に粘着素材をコーティングしたり、編込むのが望ましい。
【００５０】
以上の構成において、この実施の形態に係るブラジャーでは、次のようにして、脇部材の伸縮性を必要以上に高める必要がなく、着用者の胸部を締め付ける緊迫力が過度に大きくなって、着用感が低下することを防止しつつ、バストカップ部のズレ落ちを確実に防止することが可能となっている。
【００５１】
すなわち、この実施の形態に係るブラジャー１は、図５に示すように、着用者２０のバスト部２１に、バストカップ部２、３を当てるとともに、第１の脇布１３、１５と第２の脇布１４、１６を、着用者２０の胸部２２の背面側に回して、これら第１及び第２の脇布１３、１５、１４、１６の先端部を、フック１８及びアイ１７によって互いに連結することによって着用される。
【００５２】
その際、上記ブラジャー１では、図５に示すように、当該ブラジャー１を着用者２０の胸部２２に固定する緊迫力として、第１の脇布１３、１５によって、水平方向に作用するバスト部２１の下辺（アンダー）に作用する収縮力Ｆ１と、第２の脇布１４、１６によって、水平方向に作用するバスト部２１の上辺（チェスト）に作用する収縮力Ｆ２とが発生する。
【００５３】
そのため、この実施の形態に係るブラジャー１では、当該ブラジャー１をバスト部２１の下辺（アンダー）に作用する収縮力Ｆ１と、水平方向に作用するバスト部２１の上辺（チェスト）に作用する収縮力Ｆ２とで保持するので、第１及び第２の脇布１３、１５、１４、１６の収縮力を過大にすることなく、バストカップ部２、３が下方にズレ落ちるのを防止することができ、脇部材の伸縮性を必要以上に高める必要がなく、着用者の胸部を締め付ける緊迫力が過度に大きくなって、着用感が低下することを防止しつつ、バストカップ部のズレ落ちを確実に防止することが可能となっている。
【００５４】
さらに、この実施の形態に係るブラジャー１では、図６に示すように、仮に、第１の脇布１３、１５のラインがズレ落ちそうになった場合であっても、第２の脇布１４、１６によって、バスト部２１の上辺（チェスト）に作用する水平方向の収縮力Ｆ２が存在するため、当該水平方向の収縮力Ｆ２によって、従来のブラジャーの約２倍の力（Ｆ１＋Ｆ２）で、バストカップ部２、３を本来の位置に留まらせることができる。
【００５５】
また、上記ブラジャー１の場合には、図６に示すように、仮に、第１の脇布１３、１５のラインがズレ落ちそうになった場合であっても、第１の脇布１３、１５の斜辺に作用する引き上げる力Ｆ３と、第２の脇布１４、１６のの斜辺に作用する引き上げる力Ｆ４とが発生するため、これらの引き上げる力Ｆ３と引き上げる力Ｆ４とによって、バストカップ部２、３を本来の位置に留まらせることが可能となる。
【００５６】
これにより、着用者２０が胸部２２を動かした場合であっても、胸部２２を動かしている最中の筋力の動きに、ブラジャー１の第１の脇布１３、１５がついて行き、着用者２０の胸部２２にジャストフィットするようになっている。また、着用者２０の胸部２２の動きが停止した場合には、上述したように、引き上げる力Ｆ３と引き上げる力Ｆ４とによって、バストカップ部２、３を本来の位置に留まらせる力が作用し、バストカップ部２、３が本来の位置に戻ろうとするようになっている。
【００５７】
さらに、この実施の形態に係るブラジャー１では、図７（ａ）（ｂ）にすように、第２の脇布１４、１６の方が、第１の脇布１３、１５よりも少し短く設定されているため、これら第１の脇布１３、１５及び第２の脇布１４、１６を、同じ生地で形成した場合には、第２の脇布１４、１６の方が収縮力が大きくなり、上述した引き上げ効果をより一層発揮させることができる。
【００５８】
また、第１の脇布１３、１５と第２の脇布１４、１６の生地を変えた場合には、第２の脇布１４、１６として、伸縮性が強く、保形性のあるパワーネットやサテンネット、トリスキン等の生地を使用し、第１の脇布１３、１５として、第２の脇布１４、１６よりもソフトなストレッチ性のある素材を使用することにより、体の動きに合わせて、これら第１の脇布１３、１５及び第２の脇布１４、１６を、着用者２０の胸部２２に動作中フィットさせることができる。また、第１の脇布１３、１５と第２の脇布１４、１６とで、締め付け度合いを調整可能とすることにより、バストカップ部２、３がズレ落ちないようにバランスした状態を作り出すことができる。
【００５９】
実施の形態２
図８はこの発明の実施の形態２を示すものであり、前記実施の形態１と同一の部分には同一の符号を付して説明すると、この実施の形態２では、ブラジャーの小脇の構成が前記実施の形態１と異なっている。
【００６０】
すなわち、この実施の形態２に係るブラジャー１では、図８に示すように、バストカップ部２、３の下方に位置する小脇１１、１２が設けられておらず、第１の脇布１３、１５及び第２の脇布１４、１６の基端部が、バストカップ部２、３の下方まで伸びた位置に設けられている。
【００６１】
この実施の形態２では、第１の脇布１３、１５及び第２の脇布１４、１６として、伸びにくい生地を使用した場合や、体の前側から締め付け（補正）したい場合などに、小脇１１、１２を設けずに、第１の脇布１３、１５及び第２の脇布１４、１６の基端部を、バストカップ部２、３の下方に渡って設けることにより、脇布の２重になる部分が多いので、体の前側からの保形（補正）の効果がかなり強くなり、より体のラインを美しくすることができる。
【００６２】
その他の構成及び作用は、前記実施の形態１と同様であるので、その説明を省略する。
【００６３】
実施の形態３
図９はこの発明の実施の形態３を示すものであり、前記実施の形態１と同一の部分には同一の符号を付して説明すると、この実施の形態３では、フロントホック式のブラジャーを構成するようになっている。
【００６４】
すなわち、この実施の形態３に係るブラジャー１では、図９に示すように、バストカップ部２、３が中央で、左右に分割されているとともに、第１の脇布１３、１５及び第２の脇布１４、１６の先端部が、互いに一体的に形成されているか、互いに一体的となるように縫着されている。
【００６５】
また、上記バストカップ部２、３は、中心土台９、１０の部分から左右に分割されており、当該中心土台９、１０の内側のエッジ部には、フロントホック３０、３１が取り付けられている。
【００６６】
この実施の形態３では、前記実施の形態１及び２も含めて、通常のブラジャーよりも、フック及びアイの数が多いため、手が届きにくかったり、体が不自由な着用者の場合など、装着が困難な場合があるので、左右一枚のブラジャー１として、フロント側でフロントホック３０、３１によって装着できるため、装着が容易となっている。
【００６７】
また、この実施の形態３では、脇部材の形状は限定されるものではなく、図１０に示すように、第１の脇布１３、１５及び第２の脇布１４、１６を細長い直角三角形状に形成し、その先端部を他方の小脇に縫着するように構成したり、図１１に示すように、第１の脇布１３、１５及び第２の脇布１４、１６を、幅の広いバンド状に形成し、幅が若干狭くなった先端部を他方の小脇に縫着するように構成しても良い。
【００６８】
その他の構成及び作用は、前記実施の形態１と同様であるので、その説明を省略する。
【００６９】
実施の形態４
図１２はこの発明の実施の形態４を示すものであり、前記実施の形態１と同一の部分には同一の符号を付して説明すると、この実施の形態４では、装飾性を高めたブラジャーを構成するようになっている。
【００７０】
すなわち、この実施の形態４に係るブラジャー１では、図１２に示すように、下辺布４や、第１の脇布１３、１５及び第２の脇布１４、１６として、レース生地４０を使用し、装飾性を高めるように構成されている。なお、上記第１の脇布１３、１５及び第２の脇布１４、１６の斜辺には、ゴムテープ（スパンテープ）４１を縫着することによって伸縮性が付与されている。
【００７１】
従来の脇部材が１つのブラジャーの場合には、ストレッチ性のレース生地を用いた場合であっても、どうしてもストレッチ性（キックバック・保形性）が弱く、ズレ落ちが懸念された。
【００７２】
ところが、この実施の形態４に係るブラジャー１では、図１２に示すように、脇部材を２枚構造とすることにより、脇部材の生地としてレース地を使用してもズレ落ちにくく、今までよりも保形性の高いブラジャーを提供することができる。そのため、総レースでできたブラジャーなど、高級観があるものでも安定した装着が可能となる。
【００７３】
また、通常の場合、レース地のストレッチ性を強くするために、図１２（ａ）に示すように、脇部材の少なくとも上辺（上下両辺でもよい）にゴムテープ（スパンテープ）４１を縫着して使用するが、脇部材を２重構造にすることによって、ゴム無しでもズレ落ちずに着用することが可能となる。
【００７４】
この場合のメリットとしては、着用感の向上（ごわつかない、低刺激など）や、アウターに響きにくいなどが挙げられる。これにより、脇部材のレースが両方（上下両辺）とも山形状にできている特殊なレース生地を用いて、総レースゴム無し（上下両辺との山レース）などでも、ブラジャー１を安定して着用することが可能となる。
【００７５】
上記レース地としては、例えば、図１３（ａ）に示すように、スカラ又はスカラップと呼ばれる山４２が、片側に形成された片山のレース地４０や、図１３（ｂ）に示すように、スカラ又はスカラップと呼ばれる山４２が、両側に形成された両山のレース地４０などが用いられる。
【００７６】
さらに、上記レース地としては、図１４に示すように、１つの両山のレース地の中に、さらに山を対向するように、しかも、幅が順次狭くなる方向と広くなる方向が対向するように形成したレース地を用い、このレース地を対向する山の間の隙間でカットすることにより、容易に第１の脇布１３、１５及び第２の脇布１４、１６に使用するレース生地４０を製造することができ、高級観があるブラジャー１を高い生産性且つ低コストで製造することが可能となる。
【００７７】
その他の構成及び作用は、前記実施の形態１と同様であるので、その説明を省略する。
【００７８】
実施の形態５
図１８はこの発明の実施の形態５を示すものであり、前記実施の形態１と同一の部分には同一の符号を付して説明すると、この実施の形態５で、フックやアイ等からなる連結具の取り付け角度を調整可能に構成したものである。
【００７９】
上記フックやアイ等からなる連結具の取り付け角度は、原則的には、製品を中央に安定化させるために、各ラインに並行的にセットすれば良いが、積極的に各ラインに力線をデザインするためには、チェストラインは上向きとし、アンダーバストラインは下向きにセットし、相互の反する力線により、積極的に安定化させるのが望ましい。更には、ストラップレスのブラジャーにおいては、原則として、胸郭の狭い体型で、且つ乳房の小さい体型では、人体上部にズレ上がる作用が無いことから、チェストライン、アンダーライン共に上方に角度をつけるのが望ましい。
【００８０】
すなわち、前述したように、図１７に示す如く、着用者の体型により胸郭（胸をとりまく骨組み）の幅が異なる。図１７（Ａ）は標準胸郭体型を、同図（Ｂ）は胸郭の狭い体型を、同図（Ｃ）は胸郭の広い体型をそれぞれ示している。
【００８１】
そこで、図１７（Ａ）に示すような標準胸郭体型の場合には、図１８（Ａ）に示すように、アイ１７等の取り付け角度を、水平方向に向けた標準の取り付け角度とすることにより、他方のフック１８と連結した場合に、第１脇布１３、１５及び／又は第２脇布１４、１６の上下両辺１３ａ・ｂ、１４ａ・ｂ、１５ａ・ｂ、１６ａ・ｂの引っ張り力を略等しくすることができる。
【００８２】
また、図１７（Ｂ）に示すような胸郭の狭い体型の場合には、図１８（Ｂ）に示すように、アイ１７等の取り付け角度を、上方に向けた上向きの取り付け角度とすることにより、他方のフック１８と連結した場合に、第１脇布１３、１５及び／又は第２脇布１４、１６の上辺１３ａ、１４ｂ、１５ａ、１６ｂの引っ張り力を強く設定することができ、脇布を上方に引き上げることが可能となる。
【００８３】
さらに、図１７（Ｃ）に示すような胸郭の広い体型の場合には、図１８（Ｃ）に示すように、アイ１７等の取り付け角度を、下方に向けた下向きの取り付け角度とすることにより、他方のフック１８と連結した場合に、第１脇布１３、１５及び／又は第２脇布１４、１６の上辺１３ｂ、１４ａ、１５ｂ、１６ａの引っ張り力を弱く設定することができ、脇布の上辺の引っ張り力が過大となるのを回避することができる。
【００８４】
このように、フック１８やアイ１７の取り付け角度に変化をもたらすことによって、ブラジャー１を着用した際に、第１脇布１３、１５及び／又は第２脇布１４、１６の上辺１３ｂ、１４ａ、１５ｂ、１６ａの引っ張り力を強く、もしくは弱く設定することができ、胸郭の狭い体型や、胸郭の広い体型の着用者にも更にフィットし、ずれを確実に防止することができる。
【００８５】
また、上記フック１８やアイ１７の部位を縫着せずに、マジックテープ（商品名）などを用いて脱着式にすることにより、使用時に角度を調整することが可能となる。なお、上記角度調整機能は、上下左右のフック１８並びにアイ１７でも良いし、上段の左右だけでも良いし、下段の左右だけでも良い。
【００８６】
その他の構成及び作用は、前記実施の形態１と同様であるので、その説明を省略する。
【００８７】
実施の形態６
図１９乃至２１はこの発明の実施の形態６を示すものであり、前記実施の形態１と同一の部分には同一の符号を付して説明すると、この実施の形態６で、脇布の先端を互いに連結する連結具の構成が、前記実施の形態と異なっている。
【００８８】
すなわち、この実施の形態６では、図１９に示す如く、脇布の連結具がアウターにひびき難く（透けて見えるなど）するために、通常のブラジャーと同じように、第１の脇布１３、１５のフック１８とアイ１７は１つとして、上側のフックアイ部分をストラップなどに使用される金具（Ｚカン）５０を用いて留めることによって、フックアイより幅が小さく（種々の幅があるが、８ｍｍ程度）、アウターにひびき難くすることができる。また、Ｚカン等の金具５０を用いることによって、コストダウンが可能となる。なお、第２の脇布の上端部には、テープ５１を縫い止め、テープの先端部にＺカン等の金具を引っ掛ける輪部５２を形成する。なお、図２０に示すように、輪部５２を複数形成して調節可能に構成しても良い。
【００８９】
また、図２０は変形例を示すものであり、第２の脇布をテープ５１のみで形成しても良く、この場合には、更にコストダウンが可能となる。
【００９０】
さらに、図２１は変形例を示すものであり、輪部５２のテープ５１を短く設定し、Ｚカン等の金具５０を先端に取り付けたテープ５１を長く設定することにより、体の横側で留めることができ、着用が容易となる。
【００９１】
その他の構成及び作用は、前記実施の形態１と同様であるので、その説明を省略する。
【００９２】
実施の形態７
図２３及び図２４はこの発明の実施の形態７を示すものであり、前記実施の形態１と同一の部分には同一の符号を付して説明すると、この実施の形態７で、バストカップ部を含めて２重構造に構成したものである。
【００９３】
この実施の形態７は、本発明をショルダーコード付きの商品に転用したものである。この実施の形態７は、ショルダーコードの作用によって製品がズレ上がる現象を生じることから、当該ズレ上がりの最も顕著な上腕動作時の製品に与える作用を吸収するスライド構成としたものである。この機能が最も効果を生む実施の形態は、ホルターネック式のトップ構成に適合するものである。
【００９４】
すなわち、この実施の形態７は、図２２に示すように、バストアンダー部胴囲を基本線として、安定的なフィット性をデザインした内部構造６０と、チェスト部胸囲を基本線として、安定的なフィット性をデザインした外部構造６１とからなる２重構成のバストカップ部を備えたブラジャー等の衣料である。
【００９５】
内部身頃６０を構成する製品表面は、外部構造６１との滑りを高めるため、朱子織のような織又は編地表面とすることが好ましい。
【００９６】
また、上記ブラジャー１は、少なくともアームピット部を境界とし、後部身頃６２を、上記バストアンダー部の安定を前提とした身頃体とチェスト部の安定的フィット性をデザインした身頃体からなるものである。また、上記と同様に、身頃交差部のすべりを考慮することが望ましい。
【００９７】
さらに、上記ブラジャー１では、図２２に示すように、バストアンダーを安定させる内面構造６０は、極力人体に順応するモールドカップ方式のようなシンプルな構成とし、反面、外部構造６１は、バストシルエットをデザインするバストパット等の機能部をデザインするのが望ましい。
【００９８】
又、上記ブラジャー１においては、図２３に示すように、バストアンダーを安定させる内面構造６０に、ブラジャー本体の機能をデザインし、逆にチェストを安定させる外部構造６１に、外部パネルを一体化させることにより、アウターウエアーとして使用するように構成しても良い。
【００９９】
その他の構成及び作用は、前記実施の形態１と同様であるので、その説明を省略する。
【図面の簡単な説明】
【０１００】
【図１】図１はこの発明の実施の形態１に係るバスト部を構成するブラジャー等のトップとしてのブラジャーを示す構成図である。
【図２】図２はストラップを示す構成図である。
【図３】図３はこの発明の実施の形態１に係るバスト部を構成するブラジャー等のトップとしてのブラジャーの変形例を示す説明図である。
【図４】図４はこの発明の実施の形態１に係るブラジャーの要部を示す構成図である。
【図５】図５はこの発明の実施の形態１に係るブラジャーの着用状態を示す説明図である。
【図６】図６はこの発明の実施の形態１に係るブラジャーの作用を示す説明図である。
【図７】図７はこの発明の実施の形態１に係るブラジャーの要部を示す構成図である。
【図８】図８はこの発明の実施の形態２に係るブラジャーを示す構成図である。
【図９】図９はこの発明の実施の形態３に係るブラジャーを示す構成図である。
【図１０】図１０はこの発明の実施の形態３に係るブラジャーの変形例を示す構成図である。
【図１１】図１１はこの発明の実施の形態３に係るブラジャーの変形例を示す構成図である。
【図１２】図１２はこの発明の実施の形態４に係るブラジャーの変形例を示す構成図である。
【図１３】図１３はレース地を示す構成図である。
【図１４】図１４はレース地を示す構成図である。
【図１５】図１５は従来のブラジャーの着用状態を示す構成図である。
【図１６】図１６は従来のブラジャーの作用を示す説明図である。
【図１７】図１７はブラジャーの着用者の体型をそれぞれ示す説明図である。
【図１８】図１８はこの発明の実施の形態５に係るブラジャーの連結具の取り付け角度を異ならせた例をそれぞれ示す説明図である。
【図１９】図１９はこの発明の実施の形態６に係るブラジャーを示す構成図である。
【図２０】図２０はテープの輪部を示す構成図である。
【図２１】図２１はブラジャーのテープ部を示す構成図である。
【図２２】図２２はブラジャーのテープ部を示す構成図である。
【図２３】図２３はこの発明の実施の形態７に係るブラジャーを示す構成図である。
【図２４】図２４はこの発明の実施の形態７に係るブラジャーを示す構成図である。
【符号の説明】
【０１０１】
１：ストラップレス方式のブラジャー、２、３：バストカップ部、４：下辺布、５、６：脇布（脇部材）、１３、１５：第１の脇布、１４、１６：第２の脇布。
【図１】
2005054322.tif 000003
【図２】
2005054322.tif 000004
【図３】
2005054322.tif 000005
【図４】
2005054322.tif 000006
【図５】
2005054322.tif 000007
【図６】
2005054322.tif 000008
【図７】
2005054322.tif 000009
【図８】
2005054322.tif 000010
【図９】
2005054322.tif 000011
【図１０】
2005054322.tif 000012
【図１１】
2005054322.tif 000013
【図１２】
2005054322.tif 000014
【図１３】
2005054322.tif 000015
【図１４】
2005054322.tif 000016
【図１５】
2005054322.tif 000017
【図１６】
2005054322.tif 000018
【図１７】
2005054322.tif 000019
【図１８】
2005054322.tif 000020
【図１９】
2005054322.tif 000021
【図２０】
2005054322.tif 000022
【図２１】
2005054322.tif 000023
【図２２】
2005054322.tif 000024
【図２３】
2005054322.tif 000025
【図２４】
2005054322.tif 000026